(57)【要約】【課題】表示部をチルトさせやすく、且つ、ディスクドライブを垂直に保持する情報処理装置を提供する。【解決手段】情報処理装置は、情報処理本体部と、この情報処理本体部に対してチルト可能に接続されており、この情報処理本体部に閉じることができる表示部と、この情報処理本体部を支持するとともに設置面に設置する脚部とを有する。この情報処理本体部は、ディスクドライブを、このディスクドライブが設置面に対し垂直になるよう内蔵している。【選択図】図１
2009086776.tif 000002
【特許請求の範囲】
【請求項１】
情報処理本体部と、該情報処理本体部に対してチルト可能に接続されており、前記情報処理本体部に閉じることができる表示部と、前記情報処理本体部を支持するとともに設置面に設置する脚部とを有し、前記情報処理本体部は、ディスクドライブを、該ディスクドライブが前記設置面に対し垂直になるよう内蔵していることを特徴とする情報処理装置。
【請求項２】
前記脚部は、前記情報処理本体部が前記設置面に対して垂直になるよう、前記情報処理本体部を支持していることを特徴とする請求項１記載の情報処理装置。
【請求項３】
前記表示部は、その上端近傍で、前記情報処理本体部と接続されていることを特徴とする請求項２記載の情報処理装置。
【請求項４】
前記表示部は、接続部材を介して前記情報処理本体部に接続されていることを特徴とする請求項１ないし３のいずれか一に記載の情報処理装置。
【発明の詳細な説明】
【技術分野】
【０００１】
本発明は、情報処理本体部と表示部とが一体となっているパーソナルコンピュータに代表される情報処理装置に関する。
【背景技術】
【０００２】
情報処理本体部と表示部とが一体となっているパーソナルコンピュータ、所謂、一体型パーソナルコンピュータ、が市場で販売されるようになってから久しく、近年は、このような一体型パーソナルコンピュータが、よりシェアを伸ばしてきている。
【０００３】
なお、以下に説明される本発明の関連するこのような一体型パーソナルコンピュータが、特許文献１及び特許文献２に開示されている。まず、特許文献１に開示されている一体型パーソナルコンピュータは、表示部の背面に情報処理本体部が表示部と一体となって設けられており、キーボードが、回動機構により表示部に閉じるように設けられている。また、特許文献２に開示されている一体型パーソナルコンピュータは、脚部としての機能を持つ情報処理本体部に、表示部がチルト可能に取り付けられている。
【０００４】
【特許文献１】国際公開第２００４／０９９９５７号パンフレット
【特許文献２】特開２０００−３５７０２７号公報
【発明の開示】
【発明が解決しようとする課題】
【０００５】
ところで、特許文献１に開示されている一体型パーソナルコンピュータでは、表示部が情報処理本体部と一体に形成されているので、ユーザが、表示部をチルトさせようとすると、ユーザは、一体となった表示部と情報処理本体部とをチルトさせる必要があり、その重さが煩わしいというデメリットがある。
【０００６】
一方、特許文献２に開示されている一体型パーソナルコンピュータでは、表示部と情報処理本体部とは一体に形成されていないため、ユーザが、表示部をチルトさせる場合には、情報処理本体部の重さは全く気にする必要はなく、つまり、上述した特許文献１に開示されている一体型パーソナルコンピュータが有しているデメリットはない。
【０００７】
ところで、特許文献２に開示されている一体型パーソナルコンピュータでは、特許文献２には開示はされていないものの、キーボードを一体型パーソナルコンピュータの設置面と平行な脚部にユーザが載せることができる。しかしながら、設置面と平行な脚部には、ディスクドライブが内蔵されており、その分、脚部の高さが増してしまうため、ユーザはキーボードを載せにくかったり、また、ディスクドライブが設置面近傍にあるため、ディスクドライブをユーザが操作しにくかったり、ディスクドライブに埃が入りやすかったりする不具合がある。
【０００８】
このような不具合を解決させるために、特許文献２に開示されている一体型パーソナルコンピュータにおいて、ディスクドライブを情報処理本体部の傾斜している側に配置することも考えられる。しかしながら、このような態様を採用するとディスクドライブが傾斜してしまう。
【０００９】
ここで、一般に、ディスクドライブの設計及び生産にかかるコストは、ディスクドライブが垂直状態又は水平状態で使用されることを前提に設計した場合の方が、ディスクドライブが傾斜した場合を考慮した設計よりも有利である。その理由の一例は、ディスクドライブが傾斜してしまうと、ディスクの偏心を考慮した設計をする必要があるからである。
【００１０】
つまり、ディスクドライブは、水平状態または垂直状態で一体型パーソナルコンピュータに保持された方が、傾斜された状態で保持されるよりも好適である。
【００１１】
そこで、本発明は、表示部をチルトさせやすく、且つ、ディスクドライブを垂直に保持する情報処理装置を提供することを目的とする。
【課題を解決するための手段】
【００１２】
本発明の情報処理装置は、情報処理本体部と、該情報処理本体部に対してチルト可能に接続されており、前記情報処理本体部に閉じることができる表示部と、前記情報処理本体部を支持するとともに設置面に設置する脚部とを有し、前記情報処理本体部は、ディスクドライブを、該ディスクドライブが前記設置面に対し垂直になるよう内蔵していることを特徴とする。
【発明の効果】
【００１３】
本発明によれば、表示部をチルトさせやすく、且つ、ディスクドライブを垂直に保持する情報処理装置を提供することができる。
【発明を実施するための最良の形態】
【００１４】
以下、図面を参照して本発明を実施するための最良の形態について説明する。図１は、本実施の形態の一体型パーソナルコンピュータの側面図（左図が、表示部が閉じている状態であり、右図が、表示部がチルトしている状態である。）であり、図２は、正面図であり、図３は、背面図であり、図４は上面図である。
【００１５】
図１を参照すると、一体型パーソナルコンピュータは、情報処理本体部１０と、表示部２０と、脚部３０とを有する。
【００１６】
情報処理本体部１０には、パーソナルコンピュータとしての主要部、例えば、図示せぬ、ＣＰＵやメモリ等の記憶装置が内蔵され、光ディスクドライブ１１も内蔵されている。また、情報処理本体部１０は設置面に対し垂直に立っており、これにより光ディスクドライブを垂直に保持している。
【００１７】
また、表示部２０は、例えばＬＣＤ等の薄型のパネル型ディスプレイを有し、情報処理本体部１０にチルト可能に接続されている。なお、表示部２０が情報処理装置１０に接続するために、接続部材を別途用いてもよい。また、本実施の形態では、前述のようにチルトさせるためにヒンジを採用している。
【００１８】
また、脚部３０は、設置面に設置するためのものであり、情報処理本体部１０を垂直に支持している。なお、本実施の形態では、キーボードを載せ置き可能なように湾曲した構造となっている（図１左図参照）。
【００１９】
なお、本発明とは直接関係ないが、取っ手４０が情報処理本体部１０に設けられている。
【００２０】
このように、本実施の形態によれば、ユーザは表示部２０をチルトさせたい場合には、表示部２０のみをチルトさせればよく、光ディスクドライブも垂直に情報処理本体部１０に保持されている。
【００２１】
さらに、図１を参照すると、表示部２０は、その上端部付近で情報処理本体部１０にチルト可能に接続されており、表示部１０を情報処理本体部１０に対して閉じると、コンパクトになり、収納時、運搬時や梱包時に好適である。
【図面の簡単な説明】
【００２２】
【図１】本発明の実施の形態の一体型パーソナルコンピュータの側面図である。
【図２】本発明の実施の形態の一体型パーソナルコンピュータの正面図である。
【図３】本発明の実施の形態の一体型パーソナルコンピュータの背面図である。
【図４】本発明の実施の形態の一体型パーソナルコンピュータの上面図である。
【符号の説明】
【００２３】
１０  情報処理本体部
１１  光ディスクドライブ
２０  表示部
３０  脚部
【図１】
2009086776.tif 000003
【図２】
2009086776.tif 000004
【図３】
2009086776.tif 000005
【図４】
2009086776.tif 000006